(57)【要約】【課題】使用者が偏向板を手動操作する際に、偏向板が取付部から外れにくい偏向板取付構造を提供する。【解決手段】第２の偏向板３７は、この偏向板３７の揺動中心となる揺動軸部３９を有する。室内機１３は、第２の偏向板３７が取り付けられる取付部５１と、取付部５１に開設されて第２の偏向板３７の揺動軸部３９が挿通される取付孔部５３とを有する。揺動軸部３９は、取付部５１に突き当てられる突当部４１と、突当部４１から揺動軸部３９の挿通方向へ延びる係止部４３と、係止部４３の外周側に設けられて取付孔部５３の挿通方向端部５３ｂ１に係合する係合爪部４５とを有する。係合爪部４５は、取付孔部５３の挿通方向端部５３ｂと係合する係合面４５ｂに階段状の段差部４７を有する。【選択図】図３
2013096684.tif 000002
【特許請求の範囲】
【請求項１】
空気調和機の室内機に偏向板を取り付けるための偏向板取付構造において、
前記偏向板は、該偏向板の揺動中心となる揺動軸部を有し、
前記室内機は、前記偏向板が取り付けられる取付部と、前記取付部に開設されて前記偏向板の前記揺動軸部が挿通される取付孔部とを有し、
前記揺動軸部は、前記取付部に突き当てられる突当部と、前記突当部から該揺動軸部の前記挿通方向へ延びる係止部と、前記係止部の外周側に設けられて前記取付孔部の挿通方向端部に係合する係合爪部とを有し、
前記偏向板は、前記突当部を前記取付部に突き当てると共に、前記係合爪部を前記取付孔部の前記挿通方向端部に係合させることにより、前記取付部に揺動自在に取り付けられ、
前記係合爪部は、前記取付孔部の前記挿通方向端部と係合する係合面に階段状の段差部を有する、
ことを特徴とする空気調和機の偏向板取付構造。
【請求項２】
請求項１に記載の空気調和機の偏向板取付構造であって、
前記係止部は、複数に分割されている、
ことを特徴とする空気調和機の偏向板取付構造。
【請求項３】
請求項１に記載の空気調和機の偏向板取付構造であって、
前記係止部は、４つに分割されている、
ことを特徴とする空気調和機の偏向板取付構造。
【請求項４】
請求項２または３に記載の空気調和機の偏向板取付構造であって、
複数の前記係止部の前記係合爪部は、前記偏向板の指向方向とは異なる前記揺動軸部の部位にずらして設けられる、
ことを特徴とする空気調和機の偏向板取付構造。
【請求項５】
請求項１〜４のいずれか一項に記載の空気調和機の偏向板取付構造であって、
複数の前記偏向板と、これら複数の前記偏向板に薄肉状のヒンジ部を介して連結されて当該複数の偏向板の向きを同期して変更動作させる連結部とは、樹脂を用いた一体成型により製造される、
ことを特徴とする空気調和機の偏向板取付構造。
【発明の詳細な説明】
【技術分野】
【０００１】
本発明は、空気調和機の室内機に偏向板を取り付けるための偏向板取付構造に関する。
【背景技術】
【０００２】
空気調和機の室内機には、使用者に快適な空気調和環境を提供する目的で、室内機の吹き出し口から吹き出される空気の流れを左右方向に偏向する偏向板が取り付けられている。
【０００３】
例えば、特許文献１には、空気調和機の室内機に偏向板を取り付けるための偏向板取付構造が開示されている。
特許文献１に係る偏向板取付構造は次の通りである。すなわち、連動桿に揺動自在に接続された複数の偏向板の下端のそれぞれに揺動軸を設け、この揺動軸の先端部外周に一対の突起体を対向させて設ける。本体の吹き出し口の下部に形成した軸受穴の外周に、突起体が挿通される切欠部を形成し、切欠部と突起体との位置を合わせて揺動軸を軸受穴に挿通する一方、偏向板が所定の範囲だけ左右に揺動したとき連動桿の前面または後面が当接するストッパ体を吹き出し口の下部に設ける。揺動軸に設けた突起体と偏向板との位相を平行に設定すると共に、軸受穴の切欠部を、吹き出し口の左右方向に沿って形成する。
特許文献１に係る偏向板取付構造によれば、連動桿がたわみ難く、連動桿に接続された偏向板を軸受穴から外れ難くすることができるという。
【先行技術文献】
【特許文献】
【０００４】
【特許文献１】特開平１０−２７４４３４号公報
【発明の概要】
【発明が解決しようとする課題】
【０００５】
しかしながら、特許文献１に係る偏向板取付構造では、使用者が手動操作で偏向板の向きを変える際に、所定の範囲を超えて揺動軸に対して平行となるまで偏向板の向きを変える操作を行った場合、揺動軸に設けた突起体が軸受穴の切欠部に合う位置まで回動して、偏向板が軸受穴から外れてしまうという問題があった。
【０００６】
本発明は、前記従来技術の課題を解決するためになされたものであり、使用者が偏向板を手動操作する際に、偏向板が取付部から外れにくい偏向板取付構造を提供することを目的とする。
【課題を解決するための手段】
【０００７】
本発明に係る空気調和機の偏向板取付構造は、空気調和機の室内機に偏向板を取り付けるための偏向板取付構造において、前記偏向板は、該偏向板の揺動中心となる揺動軸部を有し、前記室内機は、前記偏向板が取り付けられる取付部と、前記取付部に開設されて前記偏向板の前記揺動軸部が挿通される取付孔部とを有し、前記揺動軸部は、前記取付部に突き当てられる突当部と、前記突当部から該揺動軸部の前記挿通方向へ延びる係止部と、前記係止部の外周側に設けられて前記取付孔部の挿通方向端部に係合する係合爪部とを有し、前記偏向板は、前記突当部を前記取付部に突き当てると共に、前記係合爪部を前記取付孔部の前記挿通方向端部に係合させることにより、前記取付部に揺動自在に取り付けられ、前記係合爪部は、前記取付孔部の前記挿通方向端部と係合する係合面に階段状の段差部を有する、ことを最も主要な特徴とする。
【発明の効果】
【０００８】
本発明によれば、使用者が偏向板を手動操作する際に、偏向板が取付部から外れにくい偏向板取付構造を提供することができる。
【図面の簡単な説明】
【０００９】
【図１】本発明の実施形態に係る空気調和機の偏向板取付構造が適用される室内機の外観図である。
【図２】本発明の実施形態に係る空気調和機の偏向板取付構造が適用される室内機の横断面図である。
【図３】本発明の実施形態に係る空気調和機の偏向板取付構造を表す斜視図である。
【図４】本発明の実施形態に係る空気調和機の偏向板取付構造を表す横断面図である。
【図５】本発明の実施形態に係る空気調和機の偏向板取付構造を下方から視た説明図である。
【図６】本発明の実施形態に係る空気調和機の偏向板取付構造の変形例を下方から視た説明図である。
【図７】本発明の実施形態に係る空気調和機の偏向板アセンブリの外観を表す斜視図である。
【図８】本発明の実施形態に係る第２の偏向板の動作説明に供する図である。
【図９Ａ】本発明の実施形態に係る第２の偏向板の取り付け状態を拡大して表す部分拡大断面図である。
【図９Ｂ】本発明の実施形態に係る第２の偏向板の揺動軸部を倒す方向の操作力が加えられた際の第２の偏向板の取り付け状態を拡大して表す部分拡大断面図である。
【図９Ｃ】本発明の実施形態に係る第２の偏向板の揺動軸部を倒す方向の強い操作力が加えられた際の第２の偏向板の取り付け状態を拡大して表す部分拡大断面図である。
【発明を実施するための形態】
【００１０】
以下、本発明の実施形態に係る空気調和機の偏向板取付構造について、図面を参照しながら詳細に説明する。
【００１１】
〔本発明の実施形態に係る空気調和機の偏向板取付構造が適用される室内機の構成〕
はじめに、本発明の実施形態に係る空気調和機の偏向板取付構造が適用される室内機の構成について、図１および図２を参照して説明する。
図１は、本発明の実施形態に係る空気調和機１１の偏向板取付構造が適用される室内機１３の外観図である。図２は、本発明の実施形態に係る空気調和機１１の偏向板取付構造が適用される室内機１３の横断面図である。
【００１２】
空気調和機１１は、図１に示すように、室内に設けられて空気調和を行う室内機１３と、屋外に設けられて外気との間で熱交換を行う室外機（不図示）との間を、冷媒が流通する不図示の接続配管（電気配線も含む）を介して接続して構成され、冷媒を介して室内外の空気の熱交換を行って空気調和するように構成されている。
【００１３】
室内機１３は、図１および図２に示すように、横長の略矩形形状に形成された樹脂製の筐体１５を備える。室内機１３の筐体１５は、据付板１７を介して室内壁１９に据え付けられている。筐体１５の内部空間には、図２に示すように、室内空気との間で熱交換を行う熱交換器２１ａ，２１ｂ，２１ｃと、これら熱交換器２１ａ，２１ｂ，２１ｃと略等しい幅を有し、熱交換器２１ａ，２１ｂ，２１ｃで熱交換後の空気を室内へ送り出す貫流ファン２３とが設けられている。これら熱交換器２１ａ，２１ｂ，２１ｃの下方には、露受け皿２５が設けられている。
【００１４】
筐体１５の正面側および上側には、図２に示すように、熱交換器２１ａ，２１ｂ，２１ｃの周囲を囲うように、化粧板２７が設けられている。化粧板２７の前面側は、図１および図２に示すように、化粧パネル２９で覆われている。
【００１５】
筐体１５の上側には、図２に示すように、室内空気を吸い込む吸い込み口３１が設けられている。また、筐体１５の下側には、図１および図２に示すように、空気調和後の空気を室内へ吹き出す吹き出し口３３が設けられている。吹き出し口３３には、図１および図２に示すように、吹き出し口１５から吹き出される空気の流れを上下方向（縦方向）に偏向する第１の偏向板３５と、同空気の流れを左右方向（横方向）に偏向する第２の偏向板（本発明の“偏向板”に相当する。）３７とが設けられている。
【００１６】
前記のように構成された室内機１３では、吸い込み口３１から取り入れた室内空気を、熱交換器２１ａ，２１ｂ，２１ｃにおいて熱交換し、熱交換後の空気を、貫流ファン２３を用いて、吹き出し口３３を介して室内へと送り出すように動作する。この際に、吹き出し口２９に設けられた第１の偏向板３５によって空気の流れを縦方向に偏向すると共に、前記と同様に吹き出し口２９に設けられた第２の偏向板３７によって空気の流れを横方向に偏向させて、室内へと吹き出すようになっている。
【００１７】
〔本発明の実施形態に係る空気調和機の偏向板取付構造〕
次に、本発明の実施形態に係る空気調和機の偏向板取付構造について、図３〜図５を参照して説明する。
図３は、本発明の実施形態に係る空気調和機１１の偏向板取付構造を表す斜視図である。図４は、図３に示す偏向板取付構造の横断面を表す説明図である。図５は、同偏向板取付構造を下方から視た説明図である。図６は、同偏向板取付構造の変形例を下方から視た説明図である。図７は、本発明の実施形態に係る空気調和機１１の偏向板アセンブリ６１の外観を表す斜視図である。
【００１８】
第２の偏向板３７は、図３および図４に示すように、空気の流れ方向を偏向させる平板状の翼部３７ａと、翼部３７ａに開設される通孔３７ｂと、翼部３７ａの下部に連なって設けられる脚部３７ｃと、脚部３７ｃから翼部３７ａの基端側（後記するヒンジ部４９側）へ突出するように設けられる突出片３７ｄとを備える。第２の偏向板３７は、後記するように、樹脂を用いた一体成型により製造される。
【００１９】
第２の偏向板３７の脚部３７ｃには、図３および図４に示すように、第２の偏向板３７の揺動中心となる揺動軸部３９が一体に設けられている。
【００２０】
揺動軸部３９は、図３および図４に示すように、後記する取付部５１に突き当てられるフランジ状の突当部４１と、突当部４１から延びて後記する取付孔部５３に挿通される係止部４３と、係止部４３の外周側に設けられる係合爪部４５とを有する。突当部４１は、略円板状に形成される。係止部４３は、複数に分割されている。図３および図４に示す例では、係止部４３は、周方向に均等の間隔を置いて４つに分割されている。
【００２１】
４つの係止部４３の外径は、取付孔部５３が有する円筒状の周側壁５３ａの内径と比べて略同等に形成されている。これにより、使用者が第２の偏向板３７を揺動操作した際に、４つの係止部４３の外径部と取付孔部５３が有する周側壁５３ａの内径部とが擦れ合うことで摩擦力が生じて、この摩擦力が揺動操作時の適度な操作感をつくりだすようになっている。
【００２２】
係合爪部４５は、図４に示すように、揺動軸部３９の外径方向に向かって膨出するように設けられる膨出部４５ａと、膨出部４５ａにおける揺動軸部３９の反挿通方向側に位置して挿通方向に対して略垂直方向に延びる係合面４５ｂとを有する。この係合面４５ｂは、第２の偏向板３７が取付部５１に取り付けられた状態で、取付孔部５３が有する円筒状の周側壁５３ａのうち挿通方向端部５３ｂと対面するように位置して係合するようにはたらく。係合爪部４５は、取付孔部５３の挿通方向端部５３ｂに係合することにより、取付部５１から揺動軸部３９が外れるのを止める機能を有する。
【００２３】
係合爪部４５の係合面４５ｂは、図４に示すように、周回方向に沿って延びる階段状の段差部４７を有する。段差部４７は、取付部５１から揺動軸部３９が外れかけた状態において、取付孔部５３の挿通方向端部５３ｂに対して段階的な当接関係を提供することにより、取付部５１から揺動軸部３９が外れるのを瀬戸際で止める機能を有する。
【００２４】
具体的には、係合爪部４５の係合面４５ｂは、図４に示すように、それぞれが周回方向に沿って延びる第１の係合面４５ｂ１および第２の係合面４５ｂ２を、段差部４７を挟んで有している。揺動軸部３９の挿通方向を高さ方向に置き換えて、挿通方向側を低位とし、反挿通方向側が高位とした場合、第１の係合面４５ｂ１は、第２の係合面４５ｂ２と比べて、高位（反挿通方向側）に位置している。要するに、第１の係合面４５ｂ１と、第２の係合面４５ｂ２とは、段差部４７を挟んで、相互に異なる高さに位置するように設定されている。
【００２５】
４つの係止部４３がそれぞれ有する係合爪部４５は、図５に示すように、第２の偏向板３７の指向方向（図５の矢印Ｘ１参照）に沿う揺動軸部３９の部位に設けられている。ただし、図５に示す例のように、第２の偏向板３７の指向方向に沿う揺動軸部３９の部位に係合爪部４５を設けた場合、本発明者らの研究によると、使用者が第２の偏向板３７を、揺動軸部３９に対する倒れ方向に力を加えて手動操作した際に、その操作力が直接的に係合爪部４５へと大きく伝わって、取付部５１から揺動軸部３９が外れがちになることがわかった。
【００２６】
そこで、前記の変形例として、４つの係止部４３がそれぞれ有する係合爪部４５を、図６に示すように、第２の偏向板３７の指向方向（図６の矢印Ｘ２参照）とは異なる揺動軸部３９の部位にずらして設ける構成を採用してもよい。図６に示す変形例では、４つの係止部４３がそれぞれ有する係合爪部４５は、図５に示す例と比べて、周方向に４５度傾けた状態で、揺動軸部３９の突当部４１から挿通方向に延び出すように設けられている。
【００２７】
次に、第２の偏向板３７が取り付けられる取付部５１について説明する。図２に示す樹脂製の露受け皿２５は、図３に示すように、第２の偏向板３７が取り付けられる取付部５１としての機能を有する。取付部５１には、図３に示すように、第２の偏向板３７の揺動軸部３９が挿通される取付孔部５３が開設されている。取付孔部５３は、円筒状の周側壁５３ａを有する。この周側壁５３ａの挿通方向端部５３ｂは、図４に示すように、揺動軸部３９の挿通方向に対して略垂直な周回状の平坦面５３ｂ１を有する。取付部５１における取付孔部５３の近傍には、一対のストッパ体５５（図３参照）が突出形成されている。一対のストッパ体５５は、第２の偏向板３７の突出片３７ｄとの協働作用によって、第２の偏向板３７の揺動を所定の範囲内に規制する機能を有する。
【００２８】
要するに、第２の偏向板３７は、突当部４１を取付部５１に突き当てると共に、係合爪部４５の係合面４５ｂを、取付孔部５３が有する挿通方向端部５３ｂの平坦面５３ｂ１に対面させ、これらの面（係合面４５ｂおよび平坦面５３ｂ１）同士が接触した状態で係合させることにより、取付部５１に対して揺動自在に取り付けられるようになっている。
【００２９】
実際には、第２の偏向板３７は、例えば図７に示すように、取付部５１の長手方向に沿って均等の間隔を置いて複数組（図５の例では５つ）設けられる。こうした複数組の第２の偏向板３７を、第２の偏向板アッセンブリ６１と呼ぶこととする。
【００３０】
第２の偏向板アッセンブリ６１は、図３および図７に示すように、複数組の第２の偏向板３７と、これら複数組の第２の偏向板３７に薄肉状のヒンジ部４９を介して連結されて複数の第２の偏向板３７の向きを同期して変更動作させる連結部５０とからなる。第２の偏向板アッセンブリ６１は、樹脂を用いた一体成型により製造される。樹脂の材質としては、例えばポリプロピレンなどの引っ張り強度の高いものを用いるのが好ましい。ヒンジ部４９の損傷を回避することができるからである。
【００３１】
〔本発明の実施形態に係る空気調和機の偏向板取付構造の作用効果〕
次に、本発明の実施形態に係る空気調和機１１の偏向板取付構造の作用効果について、図８および図９Ａ〜図９Ｃを参照して説明する。
図８は、本発明の実施形態に係る第２の偏向板３７の動作説明に供する図である。図９Ａは、同第２の偏向板３７の取り付け状態を拡大して表す部分拡大断面図である。図９Ｂは、同第２の偏向板３７の揺動軸部３９に倒れ方向の操作力が加えられた際の第２の偏向板３７の取り付け状態を拡大して表す部分拡大断面図である。図９Ｃは、同第２の偏向板３７の揺動軸部３９に倒れ方向の強い操作力が加えられた際の第２の偏向板３７の取り付け状態を拡大して表す部分拡大断面図である。
【００３２】
いま、使用者が、室内機１３の吹き出し口３３から吹き出される空気の流れ方向を変えるために、ひとつの第２の偏向板３７に横方向の力を加える揺動操作を行ったとする。すると、その操作力は、連結部５０を介して、その他の第２の偏向板３７に伝えられる。これにより、複数の第２の偏向板３７は、同期して動作する結果、ひとつの第２の偏向板３７を操作するだけで、複数の第２の偏向板３７の指向方向をすべて変更することができる。
【００３３】
次に、使用者が、室内機１３の吹き出し口３３から吹き出される空気の流れ方向を大きく変えるために、ひとつの第２の偏向板３７に横方向の力を加えてその指向方向を大きく変える揺動操作を行ったとする。すると、第２の偏向板３７の突出片３７ｄが、一対のストッパ体５５のうちいずれかに当接する。その結果、第２の偏向板３７は、その揺動動作を止める。これにより、第２の偏向板３７は、所定の範囲（図８の角度α参照）を超える揺動が規制される。
【００３４】
次に、本発明の実施形態に係る空気調和機１１の偏向板取付構造の作用について説明する。
【００３５】
第２の偏向板３７を取付部５１に取り付けるに際し、第２の偏向板３７の揺動軸部３９を、取付孔部５３に位置合わせした状態で、取付孔部５３に対して揺動軸部３９の係止部４３を挿通させる。すると、係合爪部４５を有する係止部４３は、取付孔部５３が有する周側壁５３ａの内径部に対して係合爪部４５を押しつけながら、挿通方向へと進行してゆく。この進行の過程では、４つの係止部４３のそれぞれは、揺動軸部３９の内径方向（軸芯方向）にほぼ均等にたわんでいる。
【００３６】
係止部４３の挿通方向への進行によって、係止部４３の係合爪部４５が、取付孔部５３の周側壁５３ａを通過すると、係合爪部４５は、押しつけ状態から解放される。その結果、係止部４３は、たわんだ状態から初期位置へと復帰する。この復帰に伴って、係合爪部４５の係合面４５ｂのうち第１の係合面４５ｂ１は、取付孔部５３が有する挿通方向端部５３ｂの平坦面５３ｂ１と対面するように位置する。その結果、これらの面（第１の係合面４５ｂ１および平坦面５３ｂ１）同士が接触した状態で、取付孔部５３の挿通方向端部５３ｂに対して係止部４３の係合爪部４５が引っ掛かり係合するようになる。この係合関係の成立によって、第２の偏向板３７を揺動操作した際の操作性を安定させることができる。
【００３７】
前記の係合関係が成立している状態において、第２の偏向板３７は、図９Ａに示すように、突当部４１を取付部５１に突き当てると共に、係合爪部４５の係合面４５ｂのうち第１の係合面４５ｂ１を、取付孔部５３が有する挿通方向端部５３ｂの平坦面５３ｂ１に接触させた状態で、係合爪部４５を挿通方向端部５３ｂに係合させることにより、取付部５１に対して揺動自在に取り付けられている。これが、取付部５１に対する第２の偏向板３７の正常な取付状態である。
【００３８】
このように正常な取付状態に置かれている第２の偏向板３７を、いま、使用者が室内機１３の吹き出し口３３から吹き出される空気の流れ方向を変えるために、ひとつの第２の偏向板３７に横方向の力を加えてその指向方向を変える揺動操作を行ったとする。また、この揺動操作の際に、横方向の力と、第２の偏向板３７の揺動軸部３９を倒す方向の力との合力（反挿通方向の力を含む）が加えられたとする。
【００３９】
こうした合力が加えられると、揺動軸部３９に連なる係止部４３の係合爪部４５は、図９Ｂに示すように、取付孔部５３の周側壁５３ａから徐々に離れてゆく。ただし、図９Ｂに示す状態では、正常な取付状態と同様に、係合爪部４５の係合面４５ｂのうち第１の係合面４５ｂ１は、取付孔部５３が有する挿通方向端部５３ｂの平坦面５３ｂ１と対面するように、かろうじて位置している。
【００４０】
前記の合力が継続して加えられるか、または、より強い合力が加えられると、揺動軸部３９に連なる係止部４３の係合爪部４５は、図９Ｃに示すように、取付孔部５３の周側壁５３ａから大きく離れるに至る。その結果、図９Ｃに示すように、係合爪部４５の係合面４５ｂのうち第１の係合面４５ｂ１は、取付孔部５３が有する挿通方向端部５３ｂの平坦面５３ｂ１とは対面しない、内径方向にずれた位置まで退避する。
【００４１】
すると、今度は、係合爪部４５の係合面４５ｂのうち第２の係合面４５ｂ２が、取付孔部５３が有する挿通方向端部５３ｂの平坦面５３ｂ１と対面するように位置する。その結果、図９Ｃに示すように、これらの面（第２の係合面４５ｂ２および平坦面５３ｂ１）同士が接触した状態で、取付孔部５３の挿通方向端部５３ｂに対して係止部４３の係合爪部４５が引っ掛かり係合するようになる。この係合関係の成立によって、第２の偏向板３７を揺動操作した際の操作性を安定させることができる。
【００４２】
要するに、本発明の実施形態に係る空気調和機１１の偏向板取付構造では、第２の偏向板３７は、突当部４１を取付部５１に突き当てると共に、係合爪部４５を取付孔部５３の挿通方向端部５３ｂに係合させることにより、取付部５１に揺動自在に取り付けられ、係合爪部４５は、取付孔部５３の挿通方向端部５３ｂと係合する係合面４５ｂに階段状の段差部４７を有する構成を採用した。このため、本発明の実施形態に係る空気調和機１１の偏向板取付構造によれば、第２の偏向板３７を揺動操作した際に、揺動軸部３９に反挿通方向の力が加えられたとしても、取付孔部５３の挿通方向端部５３ｂに対して係止部４３の係合爪部４５が引っ掛かり係合する複数の段階が作用することによって、第２の偏向板３７が取付部５１から外れる事態を未然に防ぐことができる。
【００４３】
第２の偏向板３７が取付部５１から外れかけている状態では、図９Ｃに示すように、４つの係止部４３のそれぞれは、揺動軸部３９の内径方向（軸芯方向）にたわんでいる。この状態において、前記の合力が加えられなくなったとする。すると、取付孔部５３が有する周側壁５３ａの内径部には、各係止部４３のたわみによって係合爪部４５を押しつける力が作用してため、この作用によって、係止部４３は、図９Ｂの状態を経て、図９Ａの初期位置へと自己復帰する。これにより、取付部５１に対する第２の偏向板３７の取り付け安定性を確保することができる。
【００４４】
また、本発明の実施形態に係る空気調和機１１の偏向板取付構造では、係止部４３は、４つに分割されており、これら４つの係止部４３は、周方向に均等な間隔を置いて設けられている。このため、本発明の実施形態に係る空気調和機１１の偏向板取付構造によれば、仮に、各係止部４３が連なる揺動軸部３９に反挿通方向の力が加えられたとしても、取付孔部５３の挿通方向端部５３ｂに対していずれかの係止部４３の係合爪部４５が引っ掛かり係合するため、第２の偏向板３７が取付部５１から外れる事態を未然に防ぐことができる。
【００４５】
また、本発明の実施形態に係る空気調和機１１の偏向板取付構造では、複数の係止部４３の係合爪部４５は、第２の偏向板３７の指向方向とは異なる揺動軸部３９の部位にずらして設けられる。このため、本発明の実施形態に係る空気調和機１１の偏向板取付構造によれば、仮に、使用者が第２の偏向板３７を、揺動軸部３９に対する倒れ方向に力を加えて手動操作した場合であっても、取付部５１から揺動軸部３９が外れる事態を未然に防ぐことができる。
【００４６】
また、本発明の実施形態に係る空気調和機１１の偏向板取付構造では、複数の第２の偏向板３７と、これら複数の第２の偏向板３７に薄肉状のヒンジ部４９を介して連結されて複数の第２の偏向板３７の向きを同期して変更動作させる連結部５０とは、樹脂を用いた一体成型により製造される。このため、本発明の実施形態に係る空気調和機１１の偏向板取付構造によれば、少ない部品点数で複数の第２の風向板３７を安定した操作性をもって揺動動作させることが可能な第２の偏向板アッセンブリ６１を提供することができる。
【００４７】
［その他の実施形態］
以上説明した複数の実施形態は、本発明の具現化例を示したものである。従って、これらによって本発明の技術的範囲が限定的に解釈されることがあってはならない。本発明はその要旨またはその主要な特徴から逸脱することなく、様々な形態で実施することができるからである。
【００４８】
例えば、本発明に係る実施形態の説明において、取付部５１として露受け皿２５を例示して説明したが、本発明はこの例に限定されない。本発明に係る取付部５１として、例えば筐体１５などの適宜の部材を用いても、本発明に係る効果を享受することができる。
【符号の説明】
【００４９】
１１    空気調和機
１３    室内機
１５    筐体
１７    据付板
１９    室内壁
２１ａ，２１ｂ，２１ｃ    熱交換器
２３    貫流ファン
２５    露受け皿（取付部）
２７    化粧板
２９    化粧パネル
３１    吸い込み口
３３    吹き出し口
３５    第１の偏向板
３７    第２の偏向板（偏向板）
３７ａ  翼部
３７ｂ  通孔
３７ｃ  脚部
３７ｄ  突出片
３９    揺動軸部
４１    突当部
４３    係止部
４５    係合爪部
４５ｂ    係合面
４５ｂ１    第１の係合面
４５ｂ２    第２の係合面
４７    段差部
４９    ヒンジ部
５０    連結部
５１    取付部
５３    取付孔部
５３ａ  周側壁
５３ｂ  取付孔部の挿通方向端部
５３ｂ１  平坦面
５５    ストッパ体
６１    第２の偏向板アッセンブリ
【図１】
2013096684.tif 000003
【図２】
2013096684.tif 000004
【図３】
2013096684.tif 000005
【図４】
2013096684.tif 000006
【図５】
2013096684.tif 000007
【図６】
2013096684.tif 000008
【図７】
2013096684.tif 000009
【図８】
2013096684.tif 000010
【図９Ａ】
2013096684.tif 000011
【図９Ｂ】
2013096684.tif 000012
【図９Ｃ】
2013096684.tif 000013